(57)【特許請求の範囲】
【請求項１】
前端に放出口を有する筒状体の内部に、後方から前方に向かって順に爆薬受座、引紐の引張り操作で爆発する爆薬、この爆薬の爆発エネルギーを受けて前記放出口の方向へ発射される平板状の受圧板、この受圧板の衝突を受けて前記放出口の方向へ飛ばされる被放出物を備えているクラッカーにおいて、
前記受圧板は前記筒状体に圧入されて該受圧板の外周が前記筒状体の内面に圧接係合されており、かつ、前記筒状体は少なくとも前記受圧板の圧接係合する前方付近の勾配を０．２〜５°に設定して前方に向かって漸次拡開するテーパー状に形成されているとともに、該受圧板と前記被放出物との間には、前記受圧板の板厚よりも大きい厚みを有して該受圧板により押されるまま発射し前記被放出物に衝突して該被放出物を前方へ飛ばすための送り体が配備されていることを特徴とする、クラッカー。
【請求項２】
前記送り体が前記筒状体に圧入されて該筒状体の内面に圧接係合している、請求項１記載のクラッカー。
【請求項３】
前記送り体が前記筒状体の内面に対し非圧接状態にある、請求項１又は２記載のクラッカー。
【請求項４】
前記受圧板が前記送り体よりも爆発衝撃に耐え得る材料で形成されている、請求項１ないし３のいずれかに記載のクラッカー。
【発明の詳細な説明】
【０００１】
【発明の属する技術分野】
本発明は、引紐の引張り操作によって爆薬が爆発し、この爆発によって軽量の紙テープ等の被放出物が空中に放出されるクラッカーの改良に関する。
【０００２】
【従来の技術】
この種のクラッカーは、一般に、図５に示すように、筒状体１の内部に、爆薬３の爆風を受けて発射し、紙片や小巻きテープ等被放出物９に衝突して該被放出物９を放出口２から飛ばすための足付きパンと俗称される紙製の足付き受圧板２０、あるいは丸パンと称される円板状の受圧板が配備されている（例えば、実開昭６０−１８９７９６号公報）。
また、この種のクラッカーの受圧体２１が、図７に示すように、発泡プラスチック製の円柱体からなるものもある。
【０００３】
【発明が解決しようとする課題】
しかるに、足付き受圧板２０を備えた上記クラッカーでは、足付き受圧板２０は、本来、図６に実線で示すように、その円板部２０ａが筒状体１の軸線Ｘと直交する状態に保持されるべきものであるが、足部片２０ｂが円板部２０ａに対し鈍角又は鋭角に変位し易い。このため、実際に、この足付き受圧板２０を筒状体１に組み込むとき足部片２０ｂが筒状体１の内面に対し部分的に摺接することにより円板部２０ａに対し鈍角又は鋭角に変位し、組み込み後に必ずしも円板部２０ａが筒状体１の軸線Ｘと直交する状態に保持されているものとは限られず、図６に仮想線で示すごとく円板部２０ａが軸線Ｘに対し斜めになっていることがよくある。かかる斜めの状態で受圧板２０がそのまま爆薬３の爆風を受けて筒状体１内を移動した場合は、多量の被放出物９の飛距離を十分に出すことができない。
【０００４】
これに対し、円柱状の受圧体２１を備えた後者のクラッカーによれば、前者の足付き受圧板２０により生じる上記のような不具合はなく、筒状体１の軸線に沿って真っ直ぐにかつ安定よく移動できるため、被放出物９をできる限り遠方にまで飛ばすことができる。
しかし、円柱状の受圧体２１の材料には、一般に、発泡スチロール樹脂がよく使用されているが、この受圧体２１は爆薬３の爆発片や爆熱で変形したり、破損、損傷したりし、これにより被放出物９に爆発力を有効に伝えられず、多量の被放出物９を十分に飛ばす力を低下、喪失することがあった。
【０００５】
そこで、本発明の目的は、このような問題を解決するためになされたものであり、爆薬の爆発エネルギーを直接受ける平板状の受圧板を筒状体の軸線に沿って真っ直ぐにかつ安定よく平行移動できるようにし、もって多量の被放出物をできる限り遠方にまで飛ばすことのできるクラッカーを提供することにある。また、本発明の目的は、受圧板と併用され、受圧板により押されるまま発射し被放出物に衝突して該被放出物を飛ばすための送り体を、爆薬の爆発片や爆熱から防護できるクラッカーを提供することにある。
【０００６】
【課題を解決するための手段】
本発明は、前端に放出口を有する筒状体の内部に、後方から前方に向かって順に爆薬受座、引紐の引張り操作で爆発する爆薬、この爆薬の爆発エネルギーを受けて前記放出口の方向へ発射される平板状の受圧板、この受圧板の衝突を受けて前記放出口の方向へ飛ばされる被放出物を備えているクラッカーにおいて、
前記受圧板は前記筒状体に圧入されて該受圧板の外周が前記筒状体の内面に圧接係合されており、かつ、前記筒状体は少なくとも前記受圧板の圧接係合する前方付近の勾配を０．２〜５°に設定して前方に向かって漸次拡開するテーパー状に形成されているとともに、該受圧板と前記被放出物との間には、前記受圧板の板厚よりも大きい厚みを有して該受圧板により押されるまま発射し前記被放出物に衝突して該被放出物を前方へ飛ばすための送り体が配備されていることに特徴を有するものである。
【０００７】
この場合において、前記送り体は、前記筒状体に圧入させて該筒状体の内面に圧接係合させるか、あるいは非圧接状態に収容することができる。さらに、前記受圧板は前記送り体よりも爆発衝撃に耐え得る材料で形成することができる。
【０００８】
【作用】
上記構成のクラッカーによれば、受圧板は筒状体に圧入されて該筒状体の内面に圧接係合しているので、この受圧板は筒状体の軸線と直交する状態に確実に保持することができる。したがって、受圧板は筒状体の軸線に沿って真っ直ぐにかつ安定よく移動できて多量の被放出物を送り体を介してできる限り遠方にまで飛ばすことができる。また、筒状体に圧入されて該筒状体の内面に圧接係合している受圧板は、爆薬の爆風圧を筒状体の内面との間から漏らすようなことがないため、受圧効率が高められ、送り体に爆発力を有効に伝え、発射効率を上げることができる。
【０００９】
受圧板と被放出物との間には、受圧板により押されるまま被放出物を前方へ飛ばすための送り体を配備されるが、この送り体は爆薬の爆発片や爆熱により変形や破損、損傷を加えられるのを受圧板で防止されるため、送り体は被放出物に爆発力を有効に伝えることができて被放出物を飛ばす作用を確実に発揮する。また、送り体は受圧板が筒状体の内部で斜めに倒れるのを防止し、受圧板が筒状体の軸線と直交する姿勢保持をより確実にする。
【００１０】
筒状体は少なくとも受圧板の圧接係合する前方付近の勾配を０．２〜５°に設定して前方に向かって漸次拡開するテーパー状に形成されているため、この筒状体の内部で受圧板が、当初、圧接係合していても、爆薬の爆発力を受けて一旦筒状体内面との係合を解いて前方へ少し移動した瞬間から筒状体内面との間に隙間を生じるため摩擦抵抗なく初速のまま速やかに前方に発射し、被放出物に送り体を介してぶつかって該被放出物を放出口から勢いよく飛ばし放出する。このように爆発時に受圧板は筒状体内面との摩擦抵抗を持続することなく飛ばされるので、爆薬量が少ない場合でも爆発力を十分に生かすことができる。
【００１１】
送り体は筒状体の内面に圧接係合させておくと、受圧板の姿勢保持機能をより確実に果たすことになる。送り体が筒状体の前記テーパー内面に圧接係合する場合も、爆薬の爆発に伴って一旦筒状体内面との係合を解いた瞬間から筒状体内面との間に隙間を生じるため摩擦抵抗なく速やかに前方に発射することになる。
受圧板は送り体よりも爆発衝撃に耐え得る材料で形成しておくと、送り体を爆薬の爆片や爆熱から十分に防護することができる。
【００１２】
【発明の実施の形態】
本発明の好適な実施形態を図面に基づき説明する。図１は本発明の一実施例を示すクラッカーの断面図、図２、図３はいずれも他の実施例を示すクラッカーの断面図である。
【００１３】
本発明に係るクラッカーは、図１に示すように、プラスチック、厚紙などで筒状体１を後方から前方に至るまで漸次拡開する円錐又は角錐のテーパー筒状又はラッパ状に形成し、前端に放出口２を形成する。そのテーパーの勾配は、０．２〜５°、より好ましくは０．５〜３°に設定する。筒状体１の内部後端は円錐形に形成して、引玉と称される爆薬３を受止め支持するための爆薬受座４を一体に設け、爆薬３に通された引紐５を通す引紐通し穴６を爆薬受座４に形成している。爆薬受座４は筒状体１とは別体に断面Ｕ形状（図７参照）、Ｖ形状等に形成し、これを筒状体１の内部の後端部にはめ込み固定することもできる。
【００１４】
筒状体１内の爆薬３の前方には、送り体７と受圧板８とを前後にして収容配備する。受圧板８は厚紙やプラスチック等の材料で平板状に形成されるが、筒状体１内の爆薬３より所定間隔を置いた所定位置の内径よりも少し大きい径に形成され、筒状体１の前方から圧入されて前記所定位置の内面に受圧板８の外周が圧接係合される。受圧板８は筒状体１の内面に対し圧接係合されて筒状体１の軸線Ｘと直交する姿勢に保持される。
【００１５】
送り体７は、発泡プラスチック、非発泡プラスチック、コルク、木材、パルプ材等の材料からなって受圧板８の板厚よりも数倍の厚さ（例えば、１０ｍｍ前後）を有する円柱もしくは角柱状に形成されて、この外周を筒状体１の内面に圧接係合させるか、非圧接状態に収容される。送り体７は、中実状の円柱もしくは角柱状に形成する以外に、図２に示すごとき平板状のヘッド部７ａ及びスカート部７ｂを有する断面凹形状である中空状の円柱もしくは角柱状に形成することもできる。送り体７の材料が、例えば発泡プラスチックである場合、受圧板８はそれよりも爆発衝撃に耐え得る材料、例えば硬い厚紙や非発泡プラスチック等で形成される。なお、受圧板８と送り体７は、互いに接着、粘着、又は融着してもよいし、あるいは予め接着、粘着又は融着したものを使用してもよい。
【００１６】
筒状体１内における送り体７と放出口２との間には、紙片や小巻テープ等の被放出物９が収容される。図示例では筒状体１の放出口２は、筒状体１とは別体に形成された前蓋１０を放出口２内に緩く係合させて塞いでいるが、筒状体１が紙製の場合、筒状体１の前端又は筒状体１の外装紙にフラップ状の前蓋を一体に折曲自在に連設し、これを放出口２を塞ぐように折り込むこともできる（図５、図７参照）。
【００１７】
上記実施例では筒状体１が後方から前方に至るまで漸次拡開するテーパー筒状に形成されているが、図３に示すように、筒状体１は受圧板８の圧接係合する箇所から或る距離だけ前方に向かって漸次拡開するテーパー状部１ａを形成し、このテーパー状部１ａの前端から前方部分１ｂは平行な筒状に形成するものであってもよい。また、筒状体１は受圧板８の圧接係合する箇所から爆薬受座４までの間の後方部１ｃは、図３に示すごとく平行筒状に形成するものであってもよい。
【００１８】
上記構成のクラッカーにおいて、引紐通穴６から導出する引紐５を後方へ引っ張って爆薬３を爆発させると、受圧板８がこの爆薬の爆発エネルギーを受けて放出口２の方向へ発射し、送り体７が受圧板８により押されるまま被放出物９に衝突し、この衝突作用により被放出物９が前蓋１０を押し出して放出口２を開放するや否や空中に飛ばされる。
【００１９】
その際、受圧板８は発射前においては筒状体１の内面に対し軸線Ｘと直交する姿勢を確保するようにその外周を圧接係合しているので、この受圧板８は爆薬３の爆風を受けて発射するときは筒状体１の軸線Ｘに沿って真っ直ぐにかつ安定よく平行移動して、多量の被放出物９を送り体７を介してできる限り遠方にまで飛ばす。また、筒状体１に圧入されて該筒状体１の内面に圧接係合している受圧板８は、爆薬３の爆風圧を筒状体１の内面との間で漏らすようなことがないため、爆風圧を効率よく受けて飛ばされる。
【００２０】
受圧板８により送り体７が爆薬３の爆発片や爆熱で変形したり、破損、損傷したりするのを防止されるため、送り体７は被放出物９を前方へ飛ばす機能を安定確実に発揮する。また送り体７は、受圧板８が筒状体１の内部で斜めに倒れるのを防止するため、受圧板８が筒状体１の軸線Ｘと直交する姿勢を確実に保持する機能をも発揮する。
【００２１】
筒状体１は少なくとも受圧板８の圧接係合する前方付近が前方に向かって漸次拡開する前記のテーパー状に形成してあるので、この筒状体１の内部で受圧板８は、当初、圧接係合していても、爆薬３の爆発に伴って一旦筒状体１内面との係合を解いた瞬間から筒状体１内面との間に隙間を生じるため摩擦抵抗なく初速のまま速やかに前方に発射し、被放出物９に送り体７を介してぶつかって被放出物９を放出口２から遠くへ飛ばすことができる。
【００２２】
送り体７はテーパー筒状体１に圧入されて該筒状体１の内面に圧接係合していると、受圧板８の姿勢保持機能をより確実に果たすことになる。このように送り体７がテーパー状の筒状体１の内面に圧接係合していても、受圧板８の場合と同様に、爆薬３の爆発に伴って一旦筒状体１内面との係合を解いた瞬間から筒状体１内面との間に隙間を生じるため摩擦抵抗なく速やかに前方に発射することになる。
【００２３】
本発明は、筒状体１が、図４に示すように、後方から前方に至るまで同一径の平行な円筒状、または角筒状に形成されるものにも適用できる。この場合、受圧板８は筒状体１に圧入されて該筒状体１の内面に圧接係合することは上記実施例の場合と同様であるが、送り体７は筒状体１の内面に対し非圧接状態にして筒状体１内を摩擦抵抗なく円滑に移動できるようにする。受圧板８は、送り体７の厚みよりも薄く平板状に形成されて受圧板８の内面に対し線接触状態にあるので、筒状体１内を比較的摩擦抵抗少なく平行移動できるからである。
【００２４】
上記構成のクラッカーは単筒式のものに限られず、複数個一体的にセットした複筒式のものにも同様に適用できる。
【００２５】
【発明の効果】
本発明によれば、筒状体の内面に対し圧接係合されている受圧板は、筒状体の軸線と直交する姿勢に確実に保持されると共に、爆風圧を筒状体内面との間から逃がすことなく効率よく受けて送り体に有効に伝えるため、爆薬の爆発に伴って受圧板及び送り体により多量の被放出物もできる限り遠方にまで飛ばして放出することができる。しかも、受圧板により送り体を爆薬の爆発片や爆熱からよく防護できるという利点がある。
【図面の簡単な説明】
【図１】本発明の一実施例を示すクラッカーの断面図である。
【図２】他の実施例を示す断面図である。
【図３】更に他の実施例を示す断面図である。
【図４】更に又、他の実施例を示す断面図である。
【図５】従来例のクラッカーの断面図である。
【図６】図５のクラッカーの受圧板の不具合な状態を示す断面図である。
【図７】他の従来例のクラッカーの断面図である。
【符号の説明】
１  筒状体
２  放出口
３  爆薬
４  爆薬受座
５  引紐
７  送り体
８  受圧板
９  被放出物
１０  前蓋
【図１】
0003557410.tif 000002
【図２】
0003557410.tif 000003
【図３】
0003557410.tif 000004
【図４】
0003557410.tif 000005
【図５】
0003557410.tif 000006
【図６】
0003557410.tif 000007
【図７】
0003557410.tif 000008